(57)【要約】【課題】  メモリに対するアクセス競合をなくしてメモリとメモリアクセスバンド幅を有効に使用する。【解決手段】  映像信号記録処理部１０２と映像信号再生・出力処理部１０５とで１つのメモリ部１０３を共用する映像信号処理装置において、映像信号再生・出力処理部１０５はメモリ切り換え設定部１０６から通知される第１の制御信号１０６ａに基づいてモニタ出力用信号の生成処理方法の切り換えを完了した後に、メモリ選択部１０７に対して映像信号記録処理部１０２又は映像信号再生・出力処理部１０５の一方を選択するための第２の制御信号１０５ａを通知する。メモリ選択部１０７は第２の制御信号１０５ａに基づいてメモリ部１０３の接続先を切り換える。【選択図】  図１
2007088918.tif 000002
【特許請求の範囲】
【請求項１】
映像入力端子から入力される外部入力映像信号を記録媒体に記録する映像信号記録処理手段と、
前記記録媒体から読み出した再生映像信号と、前記外部入力映像信号とを入力とし、所定の生成処理手順に基づいてモニタ出力用信号を生成し、生成した該モニタ出力用信号を映像出力端子に出力する映像信号再生・出力処理手段と、
前記映像信号記録処理手段と前記映像信号再生・出力処理手段とにアクセス可能に接続されたメモリ手段と、
前記メモリ手段の接続先を選択的に切り換えるメモリ選択手段と、
前記映像信号再生・出力処理手段に対して、前記メモリ手段の接続先を指定する第１の制御信号を通知するメモリ切り換え設定手段とを備え、
前記映像信号再生・出力処理手段は、前記第１の制御信号に基づいて前記モニタ出力用信号の生成処理手順を変更する一方、前記メモリ選択手段に対して前記メモリ手段の接続先を切り換える第２の制御信号を通知するように構成されていることを特徴とする映像信号処理装置。
【請求項２】
請求項１に記載された映像信号処理装置において、
前記映像信号再生・出力処理手段は、前記第１の制御信号に基づく前記メモリ手段の接続先の切り換え及び前記モニタ出力用信号の生成処理手順の変更を、垂直同期信号に同期して行うように構成されていることを特徴とする映像信号処理装置。
【請求項３】
請求項２に記載された映像信号処理装置において、
前記映像信号再生・出力処理手段は、少なくとも１ライン期間分の映像信号を格納可能で且つ前記モニタ出力用信号の生成処理時に使用されるバッファメモリ手段を備えていることを特徴とする映像信号処理装置。
【請求項４】
請求項３に記載された映像信号処理装置において、
前記映像信号再生・出力処理手段は、前記メモリ手段の接続先として前記映像信号再生・出力処理手段が設定された場合に、前記メモリ手段と前記バッファメモリ手段とを使用して前記モニタ出力用信号を生成するように構成されていることを特徴とする映像信号処理装置。
【請求項５】
請求項３に記載された映像信号処理装置において、
前記映像信号再生・出力処理手段は、前記メモリ手段の接続先として前記映像信号記録処理手段が設定された場合に、前記記録媒体に記録された映像信号の再生処理及び前記メモリ手段へのアクセスを停止し、前記バッファメモリ手段のみを使用して前記外部入力映像信号に基づいて前記モニタ出力用信号を生成するように該モニタ出力用信号の生成処理手順を変更した後に、前記メモリ選択手段に対して前記メモリ手段の接続先を前記映像信号記録処理手段とする前記第２の制御信号を通知するように構成されていることを特徴とする映像信号処理装置。
【発明の詳細な説明】
【技術分野】
【０００１】
本発明は、放送配信される映像信号を符号化してディスク等の記録媒体に記録しながら、その映像信号をモニタに表示、確認することが可能な映像信号処理装置に関するものである。
【背景技術】
【０００２】
近年、ＤＶＤレコーダ等の映像信号処理装置は、製品ラインアップが多様化し、高価格で機能を充実させる一方、低価格化も求められるようになってきた。
【０００３】
特許文献１には、従来の映像信号処理装置の構成が開示されている。図５は、従来の映像信号処理装置の構成を示すブロック図である。
【０００４】
図５に示すように、映像信号処理装置において、映像音声入力端子５０１から入力された映像音声信号は、映像音声符号化部５０２に入力される一方、スイッチ５０８に入力される。前記映像音声符号化部５０２で符号化された映像音声信号は、バッファ５０３を介して読み出し書き込み部５０４に入力される。
【０００５】
前記読み出し書き込み部５０４では、ディスク等の記録媒体に対して符号化された映像音声信号が記録される。
【０００６】
また、前記読み出し書き込み部５０４は、前記記録媒体から符号化された映像音声信号を読み出し、読み出された映像音声信号がバッファ５０７を介して映像音声復号部５０６に入力される。前記映像音声復号部５０６で復号化された映像音声信号は、スイッチ５０８に入力される。
【０００７】
前記スイッチ５０８では、映像音声入力端子５０１から入力された映像音声信号、及び映像音声復号部５０６で復号化された映像音声信号のうち一方が選択され、映像音声出力端子５０５から出力される。
【０００８】
前記読み出し書き込み部５０４及び前記スイッチ５０８の動作は、制御部５０９によって制御されており、記録媒体に対して入力映像音声信号を記録しつつ、記録媒体から目的の映像音声信号を再生する後追い再生機能が実行されるようになっている。
【０００９】
ステータス情報表示部５１０は、現在の録画時刻及び再生時刻に基づき、後追い再生実行中における現在の録画と再生の関係を示す情報を、映像音声出力端子５０５から出力される映像音声信号に付加するものである。
【特許文献１】特開２００２−１５２６６１号公報（第６頁、第１図）
【発明の開示】
【発明が解決しようとする課題】
【００１０】
しかしながら、従来の映像信号処理装置では、映像音声信号の映像音声符号化部と映像音声復号部とにそれぞれ専用のバッファメモリを備えておかなければならなかった。このため、例えば、低コスト化のためにメモリアクセスバンド幅を制限する場合には、映像信号の記録処理と再生・出力処理のうち何れか一方の処理しか実行しないため、専用メモリの大部分へのアクセスが停止してメモリの使用効率が悪くなるという問題があった。
【００１１】
本発明は、かかる点に鑑みてなされたものであり、その目的とするところは、メモリに対するアクセス競合をなくしてメモリとメモリアクセスバンド幅を有効に使用することにある。
【課題を解決するための手段】
【００１２】
すなわち、本発明の映像信号処理装置は、映像入力端子から入力される外部入力映像信号を記録媒体に記録する映像信号記録処理手段と、
前記記録媒体から読み出した再生映像信号と、前記外部入力映像信号とを入力とし、所定の生成処理手順に基づいてモニタ出力用信号を生成し、生成した該モニタ出力用信号を映像出力端子に出力する映像信号再生・出力処理手段と、
前記映像信号記録処理手段と前記映像信号再生・出力処理手段とにアクセス可能に接続されたメモリ手段と、
前記メモリ手段の接続先を選択的に切り換えるメモリ選択手段と、
前記映像信号再生・出力処理手段に対して、前記メモリ手段の接続先を指定する第１の制御信号を通知するメモリ切り換え設定手段とを備え、
前記映像信号再生・出力処理手段は、前記第１の制御信号に基づいて前記モニタ出力用信号の生成処理手順を変更する一方、前記メモリ選択手段に対して前記メモリ手段の接続先を切り換える第２の制御信号を通知するように構成されていることを特徴とするものである。
【発明の効果】
【００１３】
以上のように、本発明によれば、映像信号の記録処理部と再生・出力処理部とで１つのメモリを共用する構成の映像信号処理装置においてメモリの接続先を切り換える場合に、映像信号の再生・出力処理部がメモリの接続先の切り換え要求を検出し、その要求に基づいて切り換えのタイミングを制御し、記録処理部と再生・出力処理部とでメモリアクセスが同時に発生しないようにすることで、メモリに対するアクセス競合をなくしてメモリとメモリアクセスバンド幅を有効に使用することができる。
【００１４】
また、メモリの接続先が映像信号の記録処理部へ切り換えられた場合であっても、映像信号再生・出力処理部は垂直同期信号に同期してモニタ出力用信号の生成処理手順を切り換えることで、モニタ出力用信号を乱すことなく継続して生成、出力することができる。
【００１５】
また、メモリの接続先が映像信号の再生・出力処理部の場合は、メモリとバッファメモリを使用して外部入力映像信号の複数フィールド分の信号に基づいてインタレース・プログレッシブ変換を行ってモニタ出力用信号とし、メモリの接続先が映像信号の記録処理部の場合は、バッファメモリのみを使用して、外部入力映像信号の１フィールド分のみに基づいてインタレース・プログレッシブ変換を行ってモニタ出力用信号とすることができる。
【発明を実施するための最良の形態】
【００１６】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００１７】
図１は、本発明の実施形態に係る映像信号処理装置の構成を示すブロック図である。図１において、１０１は映像入力端子であり、映像信号記録処理部１０２及び映像信号再生・出力処理部１０５に接続されている。
【００１８】
前記映像信号記録処理部１０２は、映像入力端子１０１から入力された外部入力映像信号を、記録媒体１０４に記録するとともにメモリ選択部１０７に出力するものである。なお、本実施形態では、具体的には、デジタル信号の伝送規格に準拠したＲＥＣ６５６信号を入力としている。
【００１９】
前記メモリ部１０３は、映像信号記録処理部１０２と映像信号再生・出力処理部１０５とに接続された共用メモリである。
【００２０】
前記映像信号再生・出力処理部１０５は、映像入力端子１０１から入力された外部入力映像信号と前記記録媒体１０４から読み出した再生映像信号とを入力とし、メモリ切り換え設定部１０６から通知される第１の制御信号１０６ａに基づいて、モニタ出力用信号を映像出力端子１０８に出力する一方、メモリ選択部１０７に映像信号を出力するものである。
【００２１】
ここで、第１の制御信号１０６ａは、メモリ部１０３の接続先の切り換えを要求する信号と、メモリ部１０３の接続先を設定する信号とを含んでいる。
【００２２】
図２は、映像信号再生・出力処理部１０５の内部構成を示すブロック図である。図２に示すように、映像信号再生・出力処理部１０５は、映像信号を少なくとも１ライン期間分以上格納可能なバッファメモリ部１０５１と、メモリ切り換え設定部１０６から通知される第１の制御信号１０６ａに基づいてモニタ出力用信号の生成処理を切り換える映像信号出力処理制御部１０５２とを有している。
【００２３】
前記メモリ選択部１０７は、第１の制御信号１０６ａに基づいて映像信号再生・出力処理部１０５の映像信号出力処理制御部１０５２で生成された第２の制御信号１０５ａを入力とし、第２の制御信号１０５ａに基づいて、前記メモリ部１０３の接続先を、映像信号記録処理部１０２又は映像信号再生・出力処理部１０５に選択的に切り換えるものである。
【００２４】
前記映像出力端子は１０８は、映像信号再生・出力処理部１０５で生成されたモニタ出力用信号を出力するものである。
【００２５】
図３は、本実施形態に係る映像信号処理装置において、メモリ部１０３の接続先の切り換え手順を示すフローチャート図である。図３に示すように、まず、ステップＳ３０１では、映像信号出力処理制御部１０５２において、メモリ切り換え設定部１０６から通知される第１の制御信号１０６ａに、メモリ部１０３の接続先の切り換えを要求する信号が含まれるかを判定する。
【００２６】
ステップＳ３０１での判定が「ＹＥＳ」の場合には、ステップＳ３０２に分岐する。ステップＳ３０１での判定が「ＮＯ」の場合には、処理を終了する。このとき、メモリ部１０３の接続先とモニタ出力用信号の生成処理方法は変更せず、そのまま継続する。
【００２７】
ステップＳ３０２では、モニタ出力用信号の生成処理方法を切り換え、続くステップＳ３０３に進む。
【００２８】
ここで、映像信号出力処理制御部１０５２は、メモリ部１０３の接続先として映像信号再生・出力処理部１０５が設定された場合には、メモリ部１０３とバッファメモリ部１０５１とを使用して、記録媒体１０４に記録された信号を再生した映像信号と映像入力端子１０１から入力される外部入力映像信号とに基づいて、モニタ出力用信号を生成する。
【００２９】
この場合におけるモニタ出力用信号の組み合わせとしては、再生した映像信号と外部入力映像信号との合成表示（ピクチャインピクチャ表示）や、表示倍率を変更して再生した映像信号や外部入力映像信号の単独表示を選択することができる。
【００３０】
一方、メモリ部１０３の接続先として映像信号記録処理部１０２が設定された場合には、まず映像信号再生・出力処理部１０５のメモリ部１０３の使用を停止し、バッファメモリ部１０５１のみを使用してモニタ出力用信号を生成すべく、モニタ出力用信号の生成処理方法の切り換えを行う。
【００３１】
この場合におけるモニタ出力用信号は、映像信号記録処理部１０２において記録媒体１０４に記録される外部入力映像信号をモニタ出力して確認することを目的とするものである。
【００３２】
次に、ステップＳ３０３では、第１の制御信号１０６ａに基づいて実行されるメモリ部１０３の接続先及びモニタ出力用信号の生成処理方法の切り換えが完了したかを判定する。
【００３３】
ステップＳ３０３での判定が「ＹＥＳ」の場合には、続くステップＳ３０４に分岐する。ステップＳ３０３での判定が「ＮＯ」の場合には、完了するまで待機する。
【００３４】
ステップＳ３０４では、映像信号記録処理部１０２又は映像信号再生・出力処理部１０５のどちらをメモリ部１０３に接続するかを設定する第２の制御信号１０５ａを生成してメモリ選択部１０７へ通知し、処理を終了する。
【００３５】
図４は、本発明の実施形態に係る映像信号処理装置において、モニタ出力用信号の生成処理方法の切り換えを実施するタイミングを説明する図である。図４において、４００は垂直同期信号（Ｖ−ＳＹＮＣ）を示している。
【００３６】
また、４０１、４０２、４０３は、映像出力（モニタ出力）が行われるフレームを示すもので、フレーム４０１、次のフレームを４０２、その次のフレームを４０３とする。
【００３７】
そして、４０１ａ、４０２ａ、４０３ａ、４０４ａは、１フレーム期間毎の終了点を示し、４０１ｂ、４０２ｂ、４０３ｂ、４０４ｂは、１フレーム毎の開始点を示す。
【００３８】
ここで、終了点４０１ａ、４０２ａ、４０３ａ、４０４ａでは、フレームのメモリ切り換え設定部１０６から通知される第１の制御信号１０６ａが検出される。
【００３９】
また、開始点４０１ｂ、４０２ｂ、４０３ｂ、４０４ｂでは、第１の制御信号１０６ａに基づいて、メモリ部１０３の接続先及びモニタ出力用信号の生成処理方法の切り換えが行われる。
【００４０】
前記フレーム４０１、４０２期間は、メモリ部１０３の接続先が映像信号再生・出力処理部１０５であり、記録媒体１０４から再生した映像信号と外部入力映像信号とに基づいてモニタ出力用信号を生成して出力する状態を示している。
【００４１】
なお、図４では、フレーム４０１、４０２期間で、再生映像信号を親画面として外部入力映像信号を子画面とするピクチャインピクチャ表示を行う場合を示したが、この形態に限定するものではなく、前述したように、メモリ部１０３の接続先が映像信号再生・出力処理部１０５の場合には、再生映像信号と外部入力映像信号との表示倍率をそれぞれに変更して単独表示することも可能である。
【００４２】
次に、モニタ出力用信号を生成して出力するフレーム４０２期間において、メモリ切り換え設定部１０６から第１の制御信号１０６ａが通知された場合について説明する。
【００４３】
図４では、第１の制御信号１０６ａがメモリ部１０３の接続先として映像信号記録処理部１０２を通知した場合を示す。
【００４４】
ここで、映像信号出力処理制御部１０５２は、フレーム４０２の終了点４０３ａで第１の制御信号１０６ａを検出した後、映像信号再生・出力処理部１０５のメモリ部１０３へのアクセスを停止し、モニタ出力用信号の生成処理方法をバッファメモリ部１０５１のみを使用するように切り換え、その後、メモリ選択部１０７に対して第２の制御信号１０５ａを通知する。
【００４５】
このような切り換え処理を、次のフレーム４０３の開始点４０３ｂまでに実行することにより、フレーム４０２からフレーム４０３への遷移において、モニタ出力用信号の生成処理及び出力を停止することなく、外部入力映像信号に基づいてモニタ出力用信号を生成して出力することができる。
【００４６】
以上のように、本実施形態に係る映像信号処理装置によれば、映像信号記録処理部と映像信号再生・出力処理部とが１つのメモリ部を共用する構成であって、メモリ部の接続先を切り換える場合に、映像信号再生・出力処理部がメモリ部の切り換え要求を検出し、その要求に基づいて切り換えのタイミングを制御し、映像信号記録処理部と映像信号再生・出力処理部とでメモリアクセスが同時に発生しないようにすれば、メモリ部に対するアクセス競合をなくすことができ、メモリとメモリアクセスバンド幅を有効に使用することができる。
【００４７】
また、メモリ部の接続先が映像信号記録処理部に切り換えられた場合であっても、映像信号再生・出力処理部は垂直同期信号に同期してモニタ出力用信号の生成処理方法を切り換えることで、モニタ出力用信号を乱すことなく継続して生成、出力することができる。
【００４８】
なお、メモリ部の接続先が映像信号再生・出力処理部の場合には、メモリとバッファメモリとを使用して、外部入力映像信号の複数フィールド分の信号に基づいてインタレース・プログレッシブ変換を行ってモニタ出力用信号とし、メモリ部の接続先が映像信号記録処理部の場合には、バッファメモリのみを使用して外部入力映像信号の１フィールド分のみに基づいてインタレース・プログレッシブ変換を行ってモニタ出力用信号とすればよい。
【産業上の利用可能性】
【００４９】
以上説明したように、本発明は、ディスク等の記録媒体に記録された映像信号の再生処理から放送信号等の外部入力映像信号の記録処理に遷移する場合に、出力画面を乱すことなくモニタ出力信号の切り換えを行うことができるという実用性の高い効果が得られることから、きわめて有用で産業上の利用可能性は高い。特に、低価格帯のＤＶＤレコーダとして利用可能である。
【図面の簡単な説明】
【００５０】
【図１】本発明の実施形態に係る映像信号処理装置の構成を示すブロック図である。
【図２】本実施形態に係る映像信号処理装置において、映像信号再生・出力処理部の内部構成を示すブロック図である。
【図３】本実施形態に係る映像信号処理装置において、映像信号再生・出力処理部におけるメモリの接続先の切り換え手順を示すフローチャート図である。
【図４】本実施形態に係る映像信号処理装置において、モニタ出力用信号の生成処理方法の切り換えを実施するタイミングを説明する図である。
【図５】従来の映像信号処理装置の構成を示すブロック図である。
【符号の説明】
【００５１】
１０１    映像入力端子
１０２    映像信号記録処理部
１０３    メモリ部
１０４    記録媒体
１０５    映像信号再生・出力処理部
１０５ａ  第２の制御信号
１０６    メモリ切り換え設定部
１０６ａ  第１の制御信号
１０７    メモリ選択部
１０８    映像出力端子
【図１】
2007088918.tif 000003
【図２】
2007088918.tif 000004
【図３】
2007088918.tif 000005
【図４】
2007088918.tif 000006
【図５】
2007088918.tif 000007